(57)【要約】【課題】より省電力を進めたリモコン受信機能を持った電子機器を提供する。【解決手段】外部のリモコンからの発光信号を受光する受光部と、この受光部からの信号により発振を開始する発振器と、この発振により動作し前記受光部からの信号をデコードする制御部と、前記受光部からの信号のパルス幅を計測するパルス幅計測手段と、このパルス幅の計測結果がリモコンからの発光信号であると判定された場合には前記制御部を起動し前記計測結果がリモコンからの発光信号ではないと判定された場合には前記発振器の発振を停止する制御手段とを備えたことを特徴とする電子機器。【選択図】  図３
2010166430.tif 000002
【特許請求の範囲】
【請求項１】
外部のリモコンからの発光信号を受光する受光部と、
この受光部からの信号により発振を開始する発振器と、
この発振により動作し前記受光部からの信号をデコードする制御部と、
前記受光部からの信号のパルス幅を計測するパルス幅計測手段と、
このパルス幅の計測結果がリモコンからの発光信号であると判定された場合には前記制御部を起動し前記計測結果がリモコンからの発光信号ではないと判定された場合には前記発振器の発振を停止する制御手段とを
備えたことを特徴とする電子機器。
【請求項２】
電子機器の各部の制御を行うメイン制御部を更に備え、
前記受光部からの信号をデコードする前記制御部は受光信号のデコード結果に基づいて前記メイン制御部の電源投入制御または起動を行うことを特徴とする請求項１に記載の電子機器。
【請求項３】
前記パルス幅計測手段は、前記受光部からの信号パルスの立ち上がり検出回路と、前記受光部からの信号パルスの立ち下がり検出回路と、前記立ち上がり検出回路でリセットされてカウントを開始するカウンタと、このカウンタの出力値が既定値範囲にあるか前記立ち下がり検出回路の出力タイミングにおいて比較する比較器とを
備えこの比較器の比較判定を前記計測結果がリモコンからの発光信号か否かの判定に用いることを特徴とする請求項１に記載の電子機器。
【請求項４】
前記パルス幅計測手段の前記立ち上がり検出回路と前記立ち下がり検出回路と前記カウンタは、前記発振器より低速に発振する低速発振器の出力を用いて動作することを特徴とする請求項３に記載の電子機器。
【発明の詳細な説明】
【技術分野】
【０００１】
本発明は、ディジタルテレビ等のリモコン受信機能を持った電子機器に関する。
【背景技術】
【０００２】
赤外線リモコン受信回路を備えた電子機器に関しては、リモコン受信の制御手段自身の動作クロックを停止させる省電力モードを備えた電子機器において、省電力モードを制御する制御手段に関する提案がされてきている。
【０００３】
例えば、特許文献１に記載されているものでは、リモコン受信回路で受信した起動信号等に対応して省電力モードを管理する状態判断モードを設けるとある。また、状態判断モードは、起動信号の有効確認ステップと、電子機器の制御対象ブロックの停止を表す複数の省電力モード移行条件満足確認ステップと、この２つのステップの条件が満たされた時に省電力モードへ移行するステップとを備えるといった内容である。
【０００４】
しかしながら受信した起動信号がリモコンからの信号でない場合にも状態判断モードを経るという省電力が徹底されていない問題があった。
本発明はリモコン受光信号により電源制御用マイコンのシステムクロックの発振を開始し、その信号が所定の長さである場合にのみ電源制御マイコンの起動信号を生成する。
【先行技術文献】
【特許文献】
【０００５】
【特許文献１】特開２００７−２２１３９７号公報
【発明の概要】
【発明が解決しようとする課題】
【０００６】
本発明は、より省電力を進めたリモコン受信機能を持った電子機器を提供することを目的とする。
【課題を解決するための手段】
【０００７】
上記課題を解決するために、本発明の電子機器は、外部のリモコンからの発光信号を受光する受光部と、この受光部からの信号により発振を開始する発振器と、この発振により動作し前記受光部からの信号をデコードする制御部と、前記受光部からの信号のパルス幅を計測するパルス幅計測手段と、このパルス幅の計測結果がリモコンからの発光信号であると判定された場合には前記制御部を起動し前記計測結果がリモコンからの発光信号ではないと判定された場合には前記発振器の発振を停止する制御手段とを備えたことを特徴とする。
【発明の効果】
【０００８】
本発明によれば、より省電力を進めたリモコン受信機能を持った電子機器が得られる。
【図面の簡単な説明】
【０００９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態のディジタルテレビの要部の構成を示したブロック図。
【図４】同実施形態のパルス幅計測手段部分のブロック構成図。
【図５】発光信号が予め定めておいた範囲外であった場合のタイミングチャート図。
【図６】発光信号が予め定めておいた範囲内であった場合のタイミングチャート図。
【図７】発光信号が予め定めておいた範囲内であった場合のマイコンの処理フロー図。
【図８】他の実施形態のディジタルテレビ要部の構成を示したブロック図。
【発明を実施するための形態】
【００１０】
以下、本発明の実施形態を説明する。
（実施形態１）
本発明の理解を容易にするために、実施形態の前に赤外線リモコン信号について述べる。参考文献「トランジスタ技術編集部編:”光エレクトロニクスの基礎と活用法”,CQ出版社,1999年5月1日」P.61の図のように、リモコン信号は、まずその開始を示すリーダ・パルス部があり、それに続いて機器の情報を示すシステムコードや、押下されたキーの情報を示すキーデーターコードが続く。リーダパルス部の長さは、参考文献のfosc=455kHzの例では約9mS(そのうちHighの部分が4.5mS,Lowの部分が4.5mS)となる。リモコン信号をデコードするときには、システムコード、データコードをデコードできればよい。
【００１１】
以下、本発明による実施形態１を図１乃至図７を参照して説明する。
図１は、この発明を適用したデジタルテレビジョン放送受信装置１１１（ディジタルテレビ）の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１は、ＬＡＮ（Local Area Network）端子１２２を備えている。
このＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００１４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００１５】
チューナ２４５ａは、制御部２６１からの制御信号により所望のチャンネルの放送信号を選局し、この選局された放送信号をＰＳＫ（Phase Shift Keying）復調器２４５ｂに出力する。
【００１６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００１８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００１９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００２３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００２４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００２５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００２６】
また、字幕放送による字幕を表示するとき、グラフィック処理部２５４は、制御部２６１からの制御による字幕情報に基づき、映像信号上に字幕情報を重畳する処理を行う。
【００２７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３１】
さらに、上記制御部２６１は、通信Ｉ／Ｆ２７０を介してＬＡＮ端子１２２に接続されている。これにより、制御部２６１は、ＬＡＮ端子１２２に接続された各機器（図１参照）と、通信Ｉ／Ｆ２７０を介して情報伝送することができる。
【００３２】
図３は実施形態の中心となる部分のディジタルテレビ(以下、DTVと略記)の構成を示したブロック図である。構成はリモコン信号受光器１１と、装置全体にクロックを供給するOSC（Oscillator）１２と、OSC１２の発振/発振停止を制御するメインクロックイネーブル信号を生成する SR-FF(セット・リセット・フリップフロップ)２１と、受光信号のHighの部分の時間を計測するパルス幅計測手段２２と、装置全体に電源を供給する電源手段１３と、チューナ/ビデオデコーダ/LCD等のDTVの中核機能をなすメイン制御部２３と、リモコン信号のデコードおよびメイン制御部への電源の供給を制御する電源制御マイコン２４と、メイン制御部への電源供給をON/OFFするスイッチ１４とOSC１２の発振停止するためのクロック停止パルス1、クロック停止パルス2の論理和をとるOR２５からなる。メイン制御部２３は、デジタルテレビジョン放送受信装置１１１からスピーカ１１５等の給電不要部分や図示せぬ電源他図３に表した部分を除いたものに相当する。なお受光器１１は受光部１１８に対応し、フォトダイオードまたはフォトトランジスタとアンプ等から構成され波形の整形機能を有するフォトアンプに相当する。
【００３３】
本実施形態ではDTVがOFFの状態では、メイン制御部２３への電源供給を切り、発振器OSC１２も停止させる。これはOSC１２の出力は装置全体の動作クロックになるので一般的には数十MHzといった高い出力周波数の発振器でなければならず、そしてそのような発振器は発振状態では非常に多くの電流を消費してしまうからである。実例では最大50mAも消費する(消費電流（最大負荷時）)ものもあるが、発振停止状態では60μA程度である(スタンバイ電流)。
【００３４】
図４は図３のパルス幅計測手段２２部分のブロック図である。D-FF3,4(Dフリップフロップ)とNOT2,AND2の組み合わせである立ち上がり検出回路２２５で受光信号１１ｂの立ち上がりエッジで低速発振器LPO(Low Power Oscillator) ２２１の1クロック幅のパルスをカウンタリセット信号２２５ｂとして出力する。D-FF1,2とNOT1,AND1の組み合わせである立ち下がり検出回路２２９で受光信号１１ｂの立ち下がりエッジで同様のパルスを比較パルス信号２２９ｂとして出力する。カウンタ２３０は前記カウンタリセット信号=Highでカウンタ出力信号を0にリセットし、それ以外はLPO２２１クロック毎にカウンタ出力信号を1づつカウントアップする。比較器２３１は比較パルス=1のときカウンタ出力信号と、予め決めてある範囲を比較して範囲内であればマイコン起動用パルス２２ｂに1のパルスを出力し、不一致であればクロック停止パルス1信号に1のパルスを出力する。この回路ではLPO２２１という発振器を用いており、これは発振し続ける。
【００３５】
しかし、これは低速のクロックでよく消費電流の低いものを選ぶことができる。例えば消費電流が2μA乃至3.1μAである。
次に、タイミングチャートを用いてDTVの立ち上がり動作を説明する。図５は発光信号が予め定めておいた範囲外であった場合の例である。ここで予め定めていた範囲とは上記参考文献の例でいうとリーダパルスが1の長さ4.5mSである。つまり、リーダパルスの長さ以外の信号が検知されてもそれはリモコン信号ではないので無視するということである。(このような状況は例えば蛍光灯などによる雑音によって起こりうる。)
【００３６】
初期状態ではOSC１２は発振しておらず、電源制御マイコン２４はスリープ状態にある。またメイン制御部２３は電源が供給されていない。
時刻t0において受光器１１に何らかの入力があると、受光信号１１ｂが１になる。ここでSR-FF２１のセット入力が１になるのでSR-FFの出力であるメインクロックイネーブル２１ｂは1になり、OSC１２は発振を開始する。
【００３７】
これからLPO２２１のクロック２つ分遅れた時刻t0’において受光信号１１ｂの立ち上がりが検出されカウンタリセットパルス２２５ｂに１のパルスが発生する。(これによってカウンタ２３０は0からカウントを始める)。
【００３８】
時刻T1において受光信号１１ｂが0になると、LPO２２１のクロック２つ分遅れた時刻T1’において受光信号１１ｂの立ち下がりが検出され比較パルス２２９ｂに１のパルスがでる。比較器２３１はカウンタの出力と予め定めてあった範囲と比較して、範囲外なのでクロック停止パルス1に1のパルスを出力する。クロック停止パルス1はOR２５を通してSR-FF２１のリセット入力につながっているので、SR-FF２１の出力であるメインクロックイネーブル２１ｂは0になりOSC１２の発振は停止する。
【００３９】
このように、リーダパルスの長さでない信号がきた場合にはOSC１２の発振を止めることにより低消費電力状態に戻ることができる。
図６は受光信号が範囲内であった場合である。この場合には電源制御マイコン２４が起動する。その処理フローを図７(ST1-ST5)に示す。マイコンの処理はシステム・コード/データ・コードが一致したかどうかによって２つに分かれる。図６(a)は一致しない場合、図６(b)は一致した場合である。図６(a)で時刻t1までは図５のT1までの場合と同様である。
【００４０】
今回はカウンタ２３０の出力２３０ｂが予め定めてあった範囲内なので比較器はt1においてマイコン起動用パルス２２ｂに１のパルスを出力する。これをマイコン起動パルスとすることによってマイコン２４が起動する。マイコン２４が起動するとマイコン２４は受光信号１１ｂのコード部の読み取りを開始する(ステップST1)。そのコードがシステムコードが自らのものと一致しかつキーデータコードが”パワーボタン”と一致するかを判断する(ステップST2)。一致しない場合はクロック停止パルス2を生成し(ステップST3)t2、スリープ状態に戻る。クロック停止パルス2が１になったのでOR２５の出力が１になりSR-FF２１の出力であるメインクロックイネーブル２１ｂが0となってOSC１２の発振が停止する。すなわち、「リモコン信号が自らの機器のものでない(システムコードの不一致)」または「リモコンが自らの機器のものであっても押されたボタンが”powerボタン”でない(キーデータコードが”powerボタン”ではない)」場合にはDTVは立ち上がることなく低消費電力状態に戻る。
【００４１】
図６(b)は(ステップST2)でシステムコードが自らのものと一致しかつキーデータコードが”パワーボタン”と一致する場合のタイミングチャートである。(ステップST2)の判断の時点であるt2までは図６(a)と同じである。(ステップST2)の判断において一致したと判断された場合には、t2(ステップST4)でSWON信号２４ｂを1にしてメイン制御部２３に電源を供給する。t3(ステップST5)で一定時間待ってからメイン起動パルス２４ｃに１のパルスを発生させメイン制御部２３を起動する。これによってDTVはON状態となりユーザにとってテレビ視聴が可能な状態になる。この後マイコンは通常処理状態へ遷移する。
【００４２】
（実施形態２）
本発明による実施形態２を図４乃至図８を参照して説明する。実施形態１と共通する部分は説明を省略する。
実施形態１は、リーダパルスの1のパルス幅がOSC１２のイネーブル時間(OSCのイネーブル信号を1にしてから発振が安定するまでの時間)よりも長い場合には問題がない。しかし、これが成り立たないとOSC１２の発振が安定する前にマイコン２４に起動がかかり動作が不安定になる可能性がある。参考文献の例(パルス幅4.5ms)と他の例(イネーブル時間3mS)の組み合わせであれば問題はない。しかし、例えばイネーブル時間が5mSの発振器と組み合わせる場合には、このままではマイコン２４が安定動作しない。その場合には図８のように電源制御マイコン２４とパルス幅計測手段２２のマイコン起動用パルス２２ｂの間に1mS程度の遅延回路２６を追加すればよい。遅延回路２６の出力マイコン起動パルス２６ｂをマイコン２４の起動に用いる。これは図６においてマイコン起動パルスを矢印方向に遅らすことに相当する。
【００４３】
以上の実施形態のように、OSCの発振をリーダパルスの長さによって止める仕組みを持つことにより、雑音によるリモコン受光器の誤動作によってOSCが発振を開始しても電源制御マイコンを起動せずともOSCの発振を止めることができ、待機状態においてより省電力なDTVを提供することができる。
【００４４】
本実施形態はリモコン受光信号により電源制御用マイコンのシステムクロックの発振を開始し、その信号が所定の長さである場合にのみ電源制御マイコンの起動信号を生成する。これにより、不要にマイコンを起動することがなく、マイコンまたはマイコンを動作させるためのOSCの省電力化が図れる。
【００４５】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４６】
１１…リモコン信号受光器、１２…OSC、１３…電源、１４…スイッチ、２１…SR-FF、２２…パルス幅計測手段、２３…メイン制御部、２４…マイコン、２５…OR回路、１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2010166430.tif 000003
【図２】
2010166430.tif 000004
【図３】
2010166430.tif 000005
【図４】
2010166430.tif 000006
【図５】
2010166430.tif 000007
【図６】
2010166430.tif 000008
【図７】
2010166430.tif 000009
【図８】
2010166430.tif 000010